(57)【特許請求の範囲】
【請求項１】
上側を覆う天井板と、両側に配設された側面パネルと、後側に配設された裏面パネルと、前記側面パネルおよび裏面パネルの下側に配設された底板と、前面にスライド可能に取り付けられ閉塞状態で前面壁を構成すると共に一方または両方にスライドさせることで開閉し得る単体または一対のシヤッターとを備えて最上段ロッカー部を構成し、前記底板がその上面に前記側面パネル、裏面パネルおよびシヤッターの夫々の下端部が入り込んで取り付けられる上側嵌合溝を形成すると共に、その下面に前記同様の側面パネル、裏面パネルおよびシヤッターの夫々の上端部が入り込んで取り付けられる下側嵌合溝を形成して構成され、この底板の下側にこの底板を天井側の板としてさらに前記同様の側面パネル、裏面パネルおよびシヤッターを取り付けて複数段にロッカー部を積み重ねて構成したホームロッカーにおいて、該ホームロッカーの前記上側を覆う天井板、前記上側嵌合溝および下側嵌合溝が上下に配設された底板、最下段ロッカー部の底板の形状を、前面両コーナーを介して前方へ向けて凸状に滑らかに膨出して成るかまぼこ型形状とし、それぞれの嵌合溝をかまぼこ型の輪郭に沿って配置したことを特徴とするホームロッカー。
【請求項２】
前記シヤッターが通過する天井板および各底板における凸状側の前面両コーナーの曲率を夫々１００以上とした請求項１記載のホームロッカー。
【請求項３】
上側を覆う天井板と、両側に配設された側面パネルと、後側に配設された裏面パネルと、前記側面パネルおよび裏面パネルの下側に配設された底板と、前面にスライド可能に取り付けられ閉塞状態で前面壁を構成すると共に一方または両方にスライドさせることで開閉し得る単体または一対のシヤッターとを備えて最上段ロッカー部を構成し、前記底板がその上面に前記側面パネル、裏面パネルおよびシヤッターの夫々の下端部が入り込んで取り付けられる上側嵌合溝を形成すると共に、その下面に前記同様の側面パネル、裏面パネルおよびシヤッターの夫々の上端部が入り込んで取り付けられる下側嵌合溝を形成して構成され、この底板の下側にこの底板を天井側の板としてさらに前記同様の側面パネル、裏面パネルおよびシヤッターを取り付けて複数段にロッカー部を積み重ねて構成したホームロッカーにおいて、前記シヤッターが通過する各底板の上側嵌合溝中には、転動体を保持させるよう該転動体形状に略対応した形状の複数の凹部が形成されており、該各凹部底面には下方へ貫通する切欠孔が設けられていることを特徴とするホームロッカー。
【請求項４】
前記転動体は、コロ、ボール、ボール・ローラーベアリング等のいずれかによるものである請求項３記載のホームロッカー。
【発明の詳細な説明】
【０００１】
【発明の属する技術分野】
本発明は、主として背の高い物も収納できるようにした横開きシヤッター式のホームロッカーに関するものである。
【０００２】
【従来の技術】
従来、出願人自身が既に出願した登録実用新案第３０２０２９２号他公報に開示されている技術がある。すなわち、上側を覆う天井板と、両側に配設された側面パネルと、後側に配設された裏面パネルと、前記側面パネルおよび裏面パネルの下側に配設された底板と、前面にスライド可能に取り付けられ閉塞状態で前面壁を構成すると共に一方または両方にスライドさせることで開閉し得る単体または一対のシヤッターとを備えて最上段ロッカー部を構成し、前記底板がその上面に前記側面パネル、裏面パネルおよびシヤッターの夫々の下端部が入り込んで取り付けられる上側嵌合溝を形成すると共に、その下面に前記同様の側面パネル、裏面パネルおよびシヤッターの夫々の上端部が入り込んで取り付けられる下側嵌合溝を形成して構成され、この底板の下側にこの底板を天井側の板としてさらに前記同様の側面パネル、裏面パネルおよびシヤッターを取り付けて複数段にロッカー部を積み重ねて構成した技術が提供されている。
【０００３】
【発明が解決しようとする課題】
しかしながら従来のホームロッカーでは、前面にスライド可能に取り付けられ閉塞状態で前面壁を構成するシヤッター部分が平面構造であるためにシヤッターの開閉動作が余りスムーズではなかった等の問題点を有していた。
【０００４】
そこで本発明は、叙上のような従来存した問題点に鑑み創出されたもので、従来のホームロッカーに比してシヤッターの開閉動作をスムーズに行なわせ、またシヤッターが通過する各底板の上側嵌合溝中への水や細かいゴミ等の停溜を回避させ、シヤッターの適確な動作を確保するようさらに改良を加えたホームロッカーを提供することを目的としたものである。
【０００５】
【課題を解決するための手段】
このため、本出願に係る第１の発明にあっては、上側を覆う天井板と、両側に配設された側面パネルと、後側に配設された裏面パネルと、前記側面パネルおよび裏面パネルの下側に配設された底板と、前面にスライド可能に取り付けられ閉塞状態で前面壁を構成すると共に一方または両方にスライドさせることで開閉し得る単体または一対のシヤッターとを備えて最上段ロッカー部を構成し、前記底板がその上面に前記側面パネル、裏面パネルおよびシヤッターの夫々の下端部が入り込んで取り付けられる上側嵌合溝を形成すると共に、その下面に前記同様の側面パネル、裏面パネルおよびシヤッターの夫々の上端部が入り込んで取り付けられる下側嵌合溝を形成して構成され、この底板の下側にこの底板を天井側の板としてさらに前記同様の側面パネル、裏面パネルおよびシヤッターを取り付けて複数段にロッカー部を積み重ねて構成したホームロッカーにおいて、該ホームロッカーの前記上側を覆う天井板、前記上側嵌合溝および下側嵌合溝が上下に配設された底板、最下段ロッカー部の底板の形状を、前面両コーナーを介して前方へ向けて凸状に滑らかに膨出して成るかまぼこ型形状とし、それぞれの嵌合溝をかまぼこ型の輪郭に沿って配置したことで、上述した課題を解決した。また、前記シヤッターが通過する天井板および各底板における凸状側の前面両コーナーの曲率を夫々１００以上としたことで、同じく上述した課題を解決した。さらに、本出願に係る第２の発明にあっては、上側を覆う天井板と、両側に配設された側面パネルと、後側に配設された裏面パネルと、前記側面パネルおよび裏面パネルの下側に配設された底板と、前面にスライド可能に取り付けられ閉塞状態で前面壁を構成すると共に一方または両方にスライドさせることで開閉し得る単体または一対のシヤッターとを備えて最上段ロッカー部を構成し、前記底板がその上面に前記側面パネル、裏面パネルおよびシヤッターの夫々の下端部が入り込んで取り付けられる上側嵌合溝を形成すると共に、その下面に前記同様の側面パネル、裏面パネルおよびシヤッターの夫々の上端部が入り込んで取り付けられる下側嵌合溝を形成して構成され、この底板の下側にこの底板を天井側の板としてさらに前記同様の側面パネル、裏面パネルおよびシヤッターを取り付けて複数段にロッカー部を積み重ねて構成したホームロッカーにおいて、前記シヤッターが通過する各底板の上側嵌合溝中には、転動体を保持させるよう該転動体形状に略対応した形状の複数の凹部が形成されており、該各凹部底面には下方へ貫通する切欠孔が設けられていることで、同じく上述した課題を解決した。そして、前記転動体は、コロ、ボール、ボール・ローラーベアリング等のいずれかによるものであることで、同じく上述した課題を解決した。
【０００６】
本発明に係るホームロッカーにあって、天井板および各底板の夫々前方へ向けて凸状となるかまぼこ型形状と、前記シヤッターが通過する凸状側の前面両コーナーの曲率Ｒが夫々１００以上となるように大きく設定したことにより、シヤッターの上側嵌合溝中での引っ掛かりを解消させシヤッターの両側面パネル側への引き出し押し込みによるスライド操作をスムーズに行なわせる。また、シヤッターが通過する各底板の上側嵌合溝中のコロ、ボール、ボール・ローラーベアリング等のいずれかによる転動体を保持させる複数の凹部底面に開穿された切欠孔は、該上側嵌合溝中の凹部内への水や細かいゴミ等の停溜を回避させ、シヤッターの適確な動作を確保することができる。
【０００７】
【発明の実施の形態】
以下、図面を参照して本発明の実施の形態を説明するに、図において示される符号１は、主として背の高い物も収納できるようにした横開きシヤッター構造の多段式のホームロッカーであり、該ホームロッカー１は、図１に示すように、プラスチック製の材料により、袴板２を介して上段ロッカー部３と下段ロッカー部４とに２段に積み重ねて構成されている。そして、上段ロッカー部３は、全体の形状を夫々前方へ向けて凸状となるかまぼこ型形状とした上側を覆う天井板５と、両側に配設された側面パネル６Ａと、後側に配設された裏面パネル７Ａと、側面パネル６Ａおよび裏面パネル７Ａの下側に配設され前記天井板５と同様のかまぼこ型形状を有して底板を構成する袴板２、前面にスライド可能に取り付けられ閉塞状態で前面壁を構成すると共に一方または両方にスライドさせることで開閉し得る単体または一対のシヤッター８Ａとを備えている。このとき袴板２には、その上面に前記側面パネル６Ａ、裏面パネル７Ａおよびシヤッター８Ａの夫々の下端部が入り込んで取り付けられる上側嵌合溝９Ａを形成すると共に、その下面には上段ロッカー部３と同一構成の下段ロッカー部４を構成する側面パネル６Ｂ、裏面パネル７Ｂおよびシヤッター８Ｂの夫々の上端部が入り込んで取り付けられる下側嵌合溝１０を形成している。すなわち、この袴板２の下側に該袴板２自体を天井側の板としてさらに前記同様の側面パネル６Ｂ、裏面パネル７Ｂおよびシヤッター８Ｂを取り付けて２段にロッカー部を積み重ねて構成している。
【０００８】
また、ホームロッカー１の上側を覆う前記天井板５、上側嵌合溝９Ａおよび下側嵌合溝１０が上下に配設された前記袴板２と同様にして、下段ロッカー部４の底板１１の形状を前方へ向けて凸状となるかまぼこ型形状とし、さらにその上面縁部側には上側嵌合溝９Ｂを形成している。このとき、図２に示すように、かまぼこ型の形状を有する天井板５、袴板２、底板１１夫々における両シヤッター８Ａ，８Ｂが通過する凸状側の前面両コーナー部では、その曲率Ｒを約１００以上となるように緩やかなものとしている。そして、袴板２には特に背の高い物も容易に収納できるように上段ロッカー部３と下段ロッカー部４とに連通する連通孔１２を形成している（図２参照）。尚、本実施の形態においては上段ロッカー部３と下段ロッカー部４との２段式構造によるものとしているが、２段以上の複数段にロッカー部を積み重ねて構成しても良いことは勿論である。
【０００９】
さらに、図２、図３に示すように、前記シヤッター８Ａ，８Ｂが夫々通過する袴板２の上側嵌合溝９Ａ中および底板１１の上側嵌合溝９Ｂ中には、例えばポリアセタール製等の自己潤滑性、耐光性、耐薬品性に優れた合成樹脂材、あるいはＡＢＳ製材等によるコロ、ボール、あるいはボール・ローラーベアリング等のいずれかによる転動体１３を回転可能に嵌挿保持させるための該転動体１３の形状に略対応した形状の凹部１４を例えば上側嵌合溝９に沿って１０箇所に等間隔毎に開穿させてあり、該各凹部１４の夫々底面には例えば押切り型等により矩形、楕円、長円、円形等の下方へ貫通する切欠孔１５を例えば前方側寄りに穿設している。尚、この切欠孔１５は、凹部１４の後方側寄りに穿設しても良い。また、切欠孔１５を各凹部１４全面に亙って貫通させたり、さらには各凹部１４を含めた上側嵌合溝９の略前方側寄りにスリット状にして貫通させたりしても良い。
【００１０】
次に、本発明の使用の一例を説明するに、図１に示すように、ホームロッカー１の上段ロッカー部３または下段ロッカー部４のいずれかに物品を収納したり取り出したりする場合には、個々別々にシヤッター８Ａまたはシヤッター８Ｂを開閉させれば良く、さらに、背の高い物品を収納したり取り出したりする場合には、上段ロッカー部３と下段ロッカー部４とに連通する連通孔１２を介して背の高い物品が上段ロッカー部３と下段ロッカー部４とに跨がって収納されるのである。このとき、背の高い物品は上段ロッカー部３のシヤッター８Ａだけを開閉させるだけで収納できる。また、当初より連通孔１２を介して背の高い物品が収納されている場合には、両シヤッター８Ａ，８Ｂの夫々連通孔１２側を閉じたままの状態にしておき、片方のみの両シヤッター８Ａ，８Ｂの開閉でもって上段ロッカー部３または下段ロッカー部４内に収納させれば良い。
【００１１】
【発明の効果】
本発明は以上のように構成されており、特にホームロッカーの前記上側を覆う天井板、前記上側嵌合溝および下側嵌合溝が上下に配設された底板、最下段ロッカー部の底板の形状を夫々前方へ向けて凸状となるかまぼこ型形状とし、前記シヤッターが通過する天井板および各底板における凸状側の前面両コーナーの曲率Ｒを夫々１００以上としたので、従来のホームロッカーに比してシヤッターの開閉操作をスムーズに行なうことができる。
【００１２】
また、前記シヤッターが通過する各底板の上側嵌合溝中には、コロ、ボール、ボール・ローラーベアリング等のいずれかによる転動体を保持させるよう該転動体形状に略対応した形状の複数の凹部が形成されており、該各凹部底面には切欠孔が設けられているので、シヤッターが通過する各底板の上側嵌合溝中への水や細かいゴミ等の停溜を回避させ、シヤッターの適確な動作を確保することができる。
【図面の簡単な説明】
【図１】  本発明の実施の形態を示したホームロッカーの斜視図である。
【図２】  同じく袴板の平面図である。
【図３】  同じく上側嵌合溝（下側嵌合溝）周辺の断面図である。
【符号の説明】
１…ホームロッカー          ２…袴板
３…上段ロッカー部          ４…下段ロッカー部
５…天井板                  ６Ａ，６Ｂ…側面パネル
７Ａ，７Ｂ…裏面パネル      ８Ａ，８Ｂ…シヤッター
９Ａ，９Ｂ…上側嵌合溝      １０…下側嵌合溝
１１…底板                  １２…連通孔
１３…転動体                １４…凹部
１５…切欠孔
【図１】
0003759664.tif 000002
【図２】
0003759664.tif 000003
【図３】
0003759664.tif 000004